(57)【要約】【課題】  既設の柱と梁等の耐震補強において、連続して積層する異形の囲い鋼板を一体として補強する。【解決手段】  梁２に交わっている柱１であって、梁２とは交差していない柱１の表面を囲う主囲い鋼板ａと、上記梁２との交差部を囲う異形囲い鋼板ｂとを備え、これら囲い鋼板ａ，ｂを、上記柱の長手方向に連続して積層し、上記柱１及び梁２と、主囲い鋼板ａ及び異形囲い鋼板ｂとの間に形成した間隔にグラウト材を充填する建造物の補強構造において、上記主囲い鋼板ａと異形囲い鋼板ｂとの接合部１１には、それらの接合部１１をまたぐ連結シート１２を接着している。【選択図】  図１
2015140561.tif 000002
【特許請求の範囲】
【請求項１】
梁、腰壁あるいは垂れ壁のいずれかに交わっている柱であって、これら梁、腰壁あるいは垂れ壁とは交差していない柱の表面を囲う主囲い鋼板と、この主囲い鋼板とは形態を異にするとともに、上記梁、腰壁あるいは垂れ壁との交差部を囲う異形囲い鋼板とを備え、これら主囲い鋼板と異形囲い鋼板とを、上記柱の長手方向に連続して積層し、上記柱と、主囲い鋼板及び異形囲い鋼板との間に形成した間隔にグラウト材を充填する建造物の補強構造において、上記主囲い鋼板及び異形囲い鋼板には、積層状態で面一になる面であって互いに接合する接合部をまたいで上記柱の長手方向に延伸する連結シートを接着した建造物の補強構造。
【請求項２】
上記主囲い鋼板及び異形囲い鋼板の周囲でかつ柱の周方向に沿って、上記連結シートに交差させた帯状シートを接着し、この帯状シートで連結シートを覆う構成にした請求項１に記載された建造物の補強構造。
【請求項３】
上記連結シートと帯状シートとのそれぞれを縦糸及び横糸からなる繊維シートで構成するとともに、上記連結シートはその縦糸方向を上記柱の長手方向に沿わせ、上記帯状シートはその縦糸を上記柱の周方向に沿わせるとともに、それら両シートの縦糸方向を交差させた請求項２に記載された建造物の補強構造。
【請求項４】
上記連結シートは、上記柱の長手方向に沿った方向の長さを、互いに接合する単位主囲い鋼板と異形囲い鋼板の合計長さと等しいかあるいはほぼ等しい長さにした請求項１〜３のいずれか１に記載された建造物の補強構造。
【請求項５】
上記主囲い鋼板と異形囲い鋼板のいずれか一方には、上記連結シートに対応する位置であって、上記主囲い鋼板と異形囲い鋼板とを上記接合部をまたぐ位置に少なくとも１つの添え板を固定するとともに、この添え板は他方の囲い鋼板と接触する関係位置を保つ一方、上記連結シートと上記添え板との間で、上記接合部を挟持する構成にした請求項１〜４のいずれか１に記載された建造物の補強構造。
【発明の詳細な説明】
【技術分野】
【０００１】
この発明は、主に既設コンクリート建造物の柱や梁などに囲い鋼板を対向させ、それら囲い鋼板と柱や梁との間に形成された間隔にグラウト材を充填する建造物の補強構造に関する。
【背景技術】
【０００２】
この種の補強構造として、特許文献１に開示されたものが従来から知られているが、この従来の補強構造を図４に示している。
図４に示した従来の補強構造は、上記柱１を主囲い鋼板ａで補強し、柱１と梁２との交差部を上記主囲い鋼板ａとは形態を異にした異形囲い鋼板ｂで補強している。
上記主囲い鋼板ａは、直角に曲げた２枚の分割鋼板３，３の一部を重ね合わせて全体を凹字状にしたものを一単位の主囲い鋼板としている。
【０００３】
また、上記異形囲い鋼板ｂは、直角に曲げた２枚の分割鋼板４，４の一部を重ね合わせて全体を凹字状にしたものを一単位の異形囲い鋼板とするとともに、その幅方向の寸法を上記柱１の前面すなわち梁２と平行な一側面の幅よりも大きくできるようにしている。そして、これら分割鋼板４，４の端部には取付け片５，５を設けている。
上記のようにした主囲い鋼板ａは、その幅を、分割鋼板３，３の重ね合わせ量を調節して、上記柱１の前面の幅と同じにして、上記柱１の前面に沿って積層する。そして、これら積層した主囲い鋼板ａの周囲には帯状シート６を接着して、分割鋼板３，３同士及び各主囲い鋼板ａ同士を一体化している。
【０００４】
また、異形囲い鋼板ｂは、主囲い鋼板ａで囲った柱１の前面と、上記梁２との交差部を囲うとともに、上記取付け片５を貫通させたボルト７で、上記交差部に異形囲い鋼板ｂを固定する。そして、異形囲い鋼板ｂの周囲にも帯状シート８を接着して、その分割鋼板４，４を一体化している。
このようにして固定された異形囲い鋼板ｂは、柱１の前面では上記主囲い鋼板ａと連続するが、梁２に対向する面では上記主囲い鋼板ａとは不連続になる。
【先行技術文献】
【特許文献】
【０００５】
【特許文献１】特開２０１３−１８１３３２号公報
【発明の概要】
【発明が解決しようとする課題】
【０００６】
上記のようにした従来の建造物の補強構造では、主囲い鋼板ａと異形囲い鋼板ｂとの接合部では、両囲い鋼板ａ，ｂが形状的に不連続になるので、それら両囲い鋼板
をまたいで帯状シートを巻き付けることができなくなる。そのために、これら両囲い鋼板の接合部では、両囲い鋼板ａ，ｂが帯状シートによって一体化できないので、その分、この接合部の強度が多少落ちるという問題があった。
この発明の目的は、主囲い鋼板と異形囲い鋼板との接合部の強度を十分に保つことができる建造物の補強構造を提供することである。
【課題を解決するための手段】
【０００７】
第１の発明は、  梁、腰壁あるいは垂れ壁のいずれかに交わっている柱であって、これら梁、腰壁あるいは垂れ壁とは交差していない柱の表面を囲う主囲い鋼板と、この主囲い鋼板とは形態を異にするとともに、上記梁、腰壁あるいは垂れ壁との交差部を囲う異形囲い鋼板とを備え、これら主囲い鋼板と異形囲い鋼板とを、上記柱の長手方向に連続して積層し、上記柱と、主囲い鋼板及び異形囲い鋼板との間に形成した間隔にグラウト材を充填する建造物の補強構造に関する。そして、上記主囲い鋼板及び異形囲い鋼板には、積層状態で面一、あるいはほぼ面一になる面であって互いに接合する接合部をまたいで上記柱の長手方向に延伸する連結シートを接着した点に特徴を有する。
なお、上記「ほぼ面一」とは、主囲い鋼板と異形囲い鋼板を積層するとき、両鋼板間に意図的に段差を設けたものではない無視できる程度の誤差を指す。
【０００８】
第２の発明は、上記主囲い鋼板及び異形囲い鋼板の周囲でかつ柱の周方向に沿って、上記連結シートに交差させた帯状シートを接着し、この帯状シートで連結シートを覆う構成にした点に特徴を有する。
【０００９】
第３の発明は、上記連結シートと帯状シートとのそれぞれを縦糸及び横糸からなる繊維シートで構成するとともに、上記連結シートはその縦糸方向を上記柱の長手方向に沿わせ、上記帯状シートはその縦糸を上記柱の周方向に沿わせるとともに、それら両シートの縦糸方向を交差させた点に特徴を有する。
【００１０】
第４の発明は、上記柱の長手方向に沿った方向の上記連結シートの長さを、互いに接合する単位主囲い鋼板と異形囲い鋼板の合計長さと等しいかあるいはほぼ等しい長さにした点に特徴を有する。
【００１１】
第５の発明は、上記主囲い鋼板と異形囲い鋼板のいずれか一方に、上記連結シートに対応する位置であって、上記主囲い鋼板と異形囲い鋼板との上記接合部をまたぐ位置に少なくとも１つの添え板を固定するとともに、この添え板は他方の囲い鋼板と接触する関係位置を保つ一方、上記連結シートと上記添え板との間で、上記接合部を挟持する構成にした点に特徴を有する。
【発明の効果】
【００１２】
第１の発明の建造物の補強構造によれば、上記主囲い鋼板及び異形囲い鋼板には、積層時に互いに接合する接合部をまたいで上記柱の長手方向に延伸する連結シートを接着したので、主囲い鋼板と異形囲い鋼板とが、それらの積層状態で形態的に連続していなくても、それら両囲い鋼板との接合部を連結シートで一体化することができる。したがって、主囲い鋼板と異形囲い鋼板との接合部の強度が弱かった従来の補強構造の弱点を補うことができる。
【００１３】
第２の発明の建造物の補強構造によれば、連結シートをその連結シートと交差する帯状シートで覆ったので、主囲い鋼板と異形囲い鋼板との接合部は、連結シートと帯状シートとで二重に覆われるので、その強度が大きくなり、補強効果が飛躍的に向上する。
【００１４】
第３の発明の建造物の補強構造によれば、連結シートと帯状シートとの両方を繊維シートで構成するとともに、それらの裂けにくい方向を互いに交差させたので、それら繊維の強さをいかんなく発揮させることができる。
【００１５】
第４の発明の建造物の補強構造によれば、連結シートの長さを十分に長くしたので、特に、第３の発明と相まって、上記接合部における強度を十分に大きく保つことができる。
【００１６】
第５の発明の建造物の補強構造によれば、主囲い鋼板と異形囲い鋼板との接合部を、添え板と連結シートとによって接合部における主囲い鋼板と異形囲い鋼板を挟持できるので、それら接合部がずれることはほとんどなく、当該接合部から柱に亀裂が入ったりしない。
【図面の簡単な説明】
【００１７】
【図１】図１は第１実施形態の斜視図である。
【図２】図２は添え板を設けた部分の拡大断面図である。
【図３】図３は第２実施形態の斜視図である。
【図４】従来の建造物の補強構造を示す斜視図である。
【発明を実施するための形態】
【００１８】
図１，２に示した第１実施形態は、柱１と梁２とが交差した建造物の補強構造であって、上記柱１の前面すなわち梁２と平行な柱１の一側面、及び柱１と梁２との交差部を、囲い鋼板で補強する構造に関する。
そして、この第１実施形態における主囲い鋼板ａと、異形囲い鋼板ｂとは従来と同じ構成にしている。
【００１９】
すなわち、主囲い鋼板ａは、直角に曲げた２枚の分割鋼板３，３の一部を重ね合わせて全体を凹字状にしている。そして、これら分割鋼板３，３の上記重ね合せ量を調整して、上記凹字状にした主囲い鋼板ａの幅を、柱１の幅とほぼ同じにしている。このようにした主囲い鋼板ａは、柱１の前面長手方向に沿って複数積層するものである。
【００２０】
さらに、上記主囲い鋼板ａであって、最上位に位置する分割鋼板３，３の少なくともいずれか一方には、図２に示す添え板９を固定している。この添え板９は、図２からも明らかなように、当該添え板９の上端を、異形囲い鋼板ｂの積層方向に突出させている。そして、最上位の主囲い鋼板ａに異形囲い鋼板ｂを積層した状態で、この異形囲い鋼板ｂが上記添え板９にぴったりと接触するようにしている。
【００２１】
上記のように積層された主囲い鋼板ａには、繊維シートからなる複数の帯状シート６を上記柱１の周方向である主囲い鋼板ａの周方向に接着している。このようにした帯状シート６は、２〜３重にして接着するが、このときに各主囲い鋼板ａ同士の主鋼板接合部１０を上記帯状シート６がまたぐようにしている。
なお、帯状シート６の重ね合わせ枚数は、求める強度に応じて異なることは当然で、場合によっては１枚だけを接着することもありうる。
【００２２】
しかも、上記のように接着された繊維シートからなる帯状シート６は、主囲い鋼板ａの周方向を引っ張り力に対する抗力が大きい方向にしている。例えば、当該繊維が縦糸と横糸とからなる場合には、縦糸方向が引っ張り力に対する抗力の大きい方向になる。したがって、帯状シート６が縦糸及び横糸からなるときには、その縦糸方向を主囲い鋼板ａの周方向に沿わせることになる。ただし、繊維によっては、縦糸あるいは横糸の区別なく織られているものがあるが、この場合には、いずれの方向にも上記引っ張り力に対して抗力を発揮するので、繊維の方向性はほとんど問題にならない。
【００２３】
いずれにしても、積層した主囲い鋼板ａが互いにずれる方向に対して、帯状シート６は強度を発揮することになる。また、両分割鋼板３，３が、柱１の前面を基準にして前後に離れる方向の力に対しても強度を発揮する。
さらに、上記帯状シート６を、各主囲い鋼板ａの積層部分である主鋼板接合部１０をまたぐようにして２〜３重に接着すれば、これら各主囲い鋼板ａとともに分割鋼板３，３のそれぞれが一体化されることになる。
【００２４】
一方、上記異形囲い鋼板ｂは、直角に曲げた２枚の分割鋼板４，４の一部を重ね合わせて全体を凹字状にしている。そして、この異形囲い鋼板ｂの前面を、上記主囲い鋼板ａの前面と面一もしくはほぼ面一にするとともに、上記分割鋼板４，４の端部に設けた取付け片５，５を梁２にあてがい、その取付け片５，５にボルト７，７を貫通させて、当該異形囲い鋼板ｂを上記交差部に固定する。
なお、上記ほぼ面一とは、両鋼板ａ，ｂを積層するとき、両鋼板ａ，ｂ間に意図的に段差を設けたものではない無視できる程度の誤差を指す。
【００２５】
このようにした異形囲い鋼板ｂは、上記交差部において柱１の前面と梁２の一側面とを囲うようにするが、そのために当該異形囲い鋼板ｂの幅は、柱１の前面の幅に合わせた主囲い鋼板ａよりも広くなる。
そして、上記異形囲い鋼板ｂには、主囲い鋼板ａと同様に、繊維シートからなる帯状シート８を接着する。すなわち、上記異形囲い鋼板ｂには、繊維シートからなる複数の帯状シート８を、柱１の周方向である異形囲い鋼板ｂの周方向に接着している。このようにした帯状シート８は、２〜３重にして接着するが、その重ね合わせ枚数は、求める強度に応じて異なることは当然で、場合によっては１枚だけを接着することもありうる。
【００２６】
しかも、上記のように接着された帯状シート８は、上記帯状シート６と同様に、その縦糸方向を上記異形囲い鋼板ｂの周方向に沿わせている。ただし、繊維の方向性が問題にならない場合があることは上記したと同様である。
いずれにしても、帯状シート８を周方向に接着することによって、分割鋼板４，４が、柱１の前面を基準にして前後に離れる方向の力に対して強度を発揮するとともに、分割鋼板４，４のそれぞれを一体化することになる。
【００２７】
ただし、上記異形囲い鋼板ｂの幅は、上記したように柱１の前面の幅に合わせた主囲い鋼板ａの幅よりも広くなるので、主囲い鋼板ａと異形囲い鋼板ｂとは形態的に不連続にならざるをえない。
したがって、帯状シート６，８を、上記主囲い鋼板ａと異形囲い鋼板ｂとの両鋼板接合部１１をまたがせて接着することができない。
【００２８】
そこで、図１に示すように、主囲い鋼板ａと異形囲い鋼板ｂとが面一もしくはほぼ面一となる上記両鋼板接合部１１の部分には、繊維シートからなる連結シート１２を接着している。
上記のように両鋼板接合部１１に接着した上記連結シート１２は、上記帯状シート６，８を接着する前に、上記両鋼板接合部１１をまたいで接着するとともに、それを上記柱１の長手方向に延伸させている。
【００２９】
そして、柱１の長手方向における連結シート１２の長さは、図１に示すように、柱１の長手方向における一単位の主囲い鋼板ａと異形囲い鋼板ｂとの合計長さに等しいか、ほぼ等しくなるようにしている。ただし、求める強度に応じて、その長さは自由に決められることは当然である。
なお、連結シート１２は、主囲い鋼板ａと異形囲い鋼板ｂとが面一になる面に相当する幅を覆うことを目的にしているので、その面一となる面のすべてを覆う一枚もののシートを用いてもよいし、図１に示すように何枚ものシートを平行に接着するようにしてもよい。
【００３０】
上記のようにした連結シート１２は、原則的には、それを何枚も重ね合わせて使用するが、その重ね合わせ枚数は、求める強度に応じて相違することは当然で、場合によっては１枚だけを接着することもありうる。
また、上記連結シート１２は、その縦糸方向を上記柱１の長手方向に沿わせ、縦糸を柱１の周方向に沿わせた帯状シート６と、それらの縦糸方向を互いに交差させている。
このように連結シート１２と帯状シート６，８との縦糸方向を互いに交差させたので、それら連結シート１２と帯状シート６，８とが相乗的に作用して、上記両鋼板接合部１１の接合強度がさらに強くなる。
【００３１】
しかも、上記したように両鋼板接合部１１に相当する部分すなわち連結シート１２と対応する位置には、添え板９を設けているので、上記両鋼板接合部１１は、図２に示すように、内側の添え板９と、外側の連結シート１２及び帯状シート６，８とに挟まれた状態になる。したがって、主囲い鋼板ａと異形囲い鋼板ｂとが、柱１の前面を基準にした前後の方向に離れることはなくなるとともに、それら両鋼板接合部１１のずれによってグラウト材に亀裂が入ったりしない。
【００３２】
なお、上記添え板９は、主囲い鋼板ａと異形囲い鋼板ｂのいずれか一方に固定されていればよく、要するに両鋼板接合部１１をまたいで、それら主囲い鋼板ａと異形囲い鋼板ｂの内面にぴったりと接触すればよい。
また、上記異形囲い鋼板ｂは、上記主囲い鋼板ａからはみ出た部分が、主囲い鋼板ａと連続性がなくなるので、当該部分には、図示していない底板を設け、充填したグラウト材を保持できるようにしている。
【００３３】
さらに、上記第１実施形態では、添え板９を最上位の主囲い鋼板ａのみに設けたが、それを主鋼板接合部１０のすべての位置に対応させるようにしてもよい。
また、上記連結シート１２も、上記主鋼板接合部１０のすべてをまたぐにようにして接着してもよい。この場合に、連結シート１２は、柱１の長さに相当する長さのものを用いてもよいし、上記柱１の長手方向における一単位の主囲い鋼板ａの長さ分に等しい連結シート１２を、柱１の長手方向に何枚か連続させるようにしてもよい。
【００３４】
さらに、上記第１実施形態では、主囲い鋼板ａ及び異形囲い鋼板ｂのそれぞれを分割鋼板３，４で構成したが、これら鋼板は、１枚の鋼板を折り曲げて凹字状にしてもよいが、このような場合にも、帯状シート６，８、連結シート１２及び添え板９のそれぞれは有効に機能する。
例えば、上記帯状シート６，８は、グラウト材を充填したときに、主囲い鋼板ａ及び異形囲い鋼板ｂが、グラウト材の充填圧で変形したりするのを押さえられる。
また、主囲い鋼板ａと異形囲い鋼板ｂとを１枚の鋼板で構成した場合にも、主鋼板接合部１０及び両鋼板接合部１１のそれぞれの部分には、ずれ防止の補強が必要になる。
【００３５】
図３に示した第２実施形態は、柱１の両側に腰壁１３あるいは垂れ壁１４等を設けた建造物であって、これら腰壁１３と垂れ壁１４との間に位置する柱部分の全周及び腰壁１３と垂れ壁１４の前後に位置する柱部分が露出している建造物を想定している。
先ず、腰壁１３に対応する柱部分を補強する第１異形囲い鋼板ｂ１は、少なくとも一対の鋼板１５，１５を備えるとともに、それら鋼板１５，１５の両端部分に取付け片１６，１６を設けている。
【００３６】
そして、上記第１異形囲い鋼板ｂ１の鋼板１５，１５は、その取付け片１６，１６を腰壁１３にあてがい、その取付け片１６，１６間を貫通するボルト２３で、当該腰壁１３に固定する。このようにして固定された第１異形囲い鋼板ｂ１によって、腰壁１３の前後において露出している柱部分全周すなわち腰壁１３の部分を除いた柱部分を囲えるようにしている。
【００３７】
一方、上記腰壁１３と垂れ壁１４との間において、全周が露出している柱部分を覆う主囲い鋼板ａは、少なくとも前後２つの鋼板１７，１７に分割され、これら両鋼板１７，１７を付き合わせることによって上記露出した柱部分の全周を覆うが、このようにした主囲い鋼板ａは、上記第１異形囲い鋼板ｂ１に積層される。
そして、この主囲い鋼板ａは、上記腰壁１３及び垂れ壁１４から外れた部分における柱１のすべてを囲うもので、したがって、その外れた部分の長手方向の長さによっては複数の主囲い鋼板ａが積層される場合がある。
【００３８】
また、垂れ壁１４に対応する柱部分を補強する第２異形囲い鋼板ｂ２は、少なくとも一対の鋼板１８，１８を備えるとともに、それら鋼板１８，１８の両端部分に取付け片１９，１９を設けている。なお、図３では、一方の鋼板のみが現れ、他方の鋼板は垂れ壁１４に隠れた状態になっている
【００３９】
そして、上記第２異形囲い鋼板ｂ２の鋼板１８，１８は、その取付け片１９，１９を垂れ壁１４にあてがい、その取付け片１９，１９間を貫通するボルト２０で、当該垂れ壁１４に固定する。このようにして固定された第２異形囲い鋼板ｂ２によって、垂れ壁１４の前後において露出している柱部分全周すなわち垂れ壁１４の部分を除いた柱部分を囲えるようにしている。
【００４０】
なお、この第２実施形態においても、第１実施形態と同様の添え板を設けているが、この添え板は、主囲い鋼板ａに設けてもよいし、第１，２異形囲い鋼板ｂ１，ｂ２に設けてもよい。また、この添え板は、主囲い鋼板ａ、第１，２異形囲い鋼板ｂ１，ｂ２のすべての接合部に設けてもよい。ただし、この第２実施形態においては、上記添え板は図示していない。
【００４１】
そして、図３に示すように、第１，２異形囲い鋼板ｂ１，ｂ２と主囲い鋼板ａとが面一もしくはほぼ面一になる両鋼板接合部２１の部分に、繊維シートからなる連結シート２２を接着している。ただし、この連結シート２２は、柱１の前面及びこの前面から腰壁１３にいたる柱１の側面部分までの範囲、すなわち上記面一もしくはほぼ面一になる部分の前面を接着している。また、この腰壁１３及び垂れ壁１４を挟んで反対側の面における両鋼板接合部２１の部分にも、同様にして連結シート２２を接着している。
【００４２】
このようにした連結シート２２は、図示していない帯状シートを接着する前に接着するとともに、柱１の長手方向における連結シート２２の長さを、図３に示すように、柱１の長手方向における一単位の主囲い鋼板ａと第１，２異形囲い鋼板ｂ１，ｂ２との合計長さに等しくなるようにしている。
【００４３】
上記のようにした連結シート２２を、両鋼板接合部２１をまたいで接着したら、第１，２異形囲い鋼板ｂ１，ｂ２と主囲い鋼板ａのそれぞれに、第１実施形態と同様の繊維シートからなる帯状シートを接着する。
ただし、主囲い鋼板ａは、柱１の全周に相当する範囲に帯状シートを接着し、第１，２異形囲い鋼板ｂ１，ｂ２は、腰壁１３及び垂れ壁１４に固定した取付け片１６，１９の範囲に帯状シートを接着する。
【００４４】
なお、上記連結シート２２及び帯状シートは、一枚もののシートを用いてもよいし、何枚ものシートを分割して接着するようにしてもよい。
また、連結シート２２及び帯状シートは、原則的には、それを何枚も重ね合わせて使用するが、その重ね合わせ枚数は、求める強度に応じて相違することは当然で、場合によっては１枚だけを接着することもありうることは、第１実施形態と同様である。
【００４５】
さらに、上記連結シート２２は繊維の縦糸方向を上記柱１の長手方向に沿わせ、上記帯状シートの縦糸方向と互いに交差するようにしている。
このように連結シート２２と帯状シートとの繊維の縦糸方向を互いに交差させたので、それら連結シート２２と帯状シートとが相乗的に作用して、上記両鋼板接合部２１の接合強度がさらに強くなる。ただし、第１実施形態でも説明したように、繊維によっては、縦糸あるいは横糸の区別なく織られているものがあるが、この場合には、いずれの方向にも引っ張り力に対して抗力を発揮するので、繊維の方向性はほとんど問題にならない。
【００４６】
しかも、上記したように両鋼板接合部２１に相当する部分すなわち連結シート２２と対応する位置には、添え板を設けているので、上記両鋼板接合部２１は、第１実施形態と同様に、内側の添え板と、外側の連結シート２２及び帯状シートとに挟まれた状態になる。したがって、主囲い鋼板ａと第１，２異形囲い鋼板ｂ１，ｂ２とが、ずれたり柱１の面を基準にした前後の方向に離れたりしなくなり、両鋼板接合部２１のずれによってグラウト材に亀裂が入ったりしなくなる。
【００４７】
さらに、この第２実施形態においても、上記連結シート２２は、上記すべての主鋼板接合部をまたぐにようにして接着してもよい。この場合に、連結シート２２は、柱１の長さに相当する長さのものを用いてもよいし、上記した柱１の長手方向における一単位の主囲い鋼板ａと第１異形囲い鋼板ｂ１との合計長さに等しい連結シート１２を、柱１の長手方向に何枚か連続させるようにしてもよい。
なお、上記第２実施形態は、腰壁１３及び垂れ壁１４を備えた柱の補強構造を示したが、腰壁１３あるいは垂れ壁１４のいずれか一方を備えた柱の補強にも適用できるし、第１実施形態のように柱１の一面のみを補強するものにも適用できる。
【００４８】
また、第１実施形態における異形囲い鋼板ｂは、柱１と梁２との交差部を覆う形態であり、第２実施形態における第１，２異形囲い鋼板ｂ１，ｂ２は、柱１の両側に設けた腰壁１３あるいは垂れ壁１４に対応する柱１を覆うものであるが、例えば、柱１を中心にして複数の梁２を設けた交差部分を覆う異形囲い鋼板に対して、柱１の周りを囲う主囲い鋼板で囲うものにも、この発明の補強構造を適用できる。
つまり、積層状態における主囲い鋼板と異形囲い鋼板との、少なくとも一つの面がほぼ面一に連続するとともに、全体的な形態が不連続になるものについては、それらの建造物の形態いかんにかかわりなく、すべてこの発明の補強構造が適用できる。
【符号の説明】
【００４９】
１          柱
２          梁
ａ          主囲い鋼板
ｂ          異形囲い鋼板
ｂ１，ｂ２  第１，２異形囲い鋼板
６，８      帯状シート
１０        主鋼板接合部
１１        両鋼板接合部
１２，２２  連結シート
２１        両鋼板接合部
【図１】
2015140561.tif 000003
【図２】
2015140561.tif 000004
【図３】
2015140561.tif 000005
【図４】
2015140561.tif 000006